(57)【要約】【課題】自動で閉扉させる手段は通船ゲートの水上部分に設置され、故障の少ない安全で安価な通船ゲートとする。【解決手段】フロート１により半水没上に支持される枠体２に対して、左右二枚の扉体ａ、ｂを開閉自在に取り付ける。両扉体ａ、ｂにはそれぞれ、水没しない位置に可変アーム４とバネ受け３を設け、可変アーム４とバネ受け３との間に軸５を介し２本のねじりバネ１０ａ、１０ｂを片端はバネ受け３に固定し、もう一方の片端は可変アーム４のねじりバネ受け１１に固定されない状態で差し込まれている。【選択図】図３
2017044052.tif 000002
【特許請求の範囲】
【請求項１】
以下の構成要素を含む通船ゲート。
（ａ）フロートにより半水没状に支持される枠体に開閉自在の扉体を設けた通船ゲートにおいて、自動で閉扉させる手段は通船ゲートの水上部分に設置されている。
（ｂ）扉体には閉扉に応じて扉体が自動ロックする手段を設けている。
（ｃ）自動ロックする手段として扉体にはロックピンが設けられている。
（ｄ）扉体には自動ロックを開錠する手段を設けている。
（ｅ）扉体には開錠する手段として開錠アームが設けられている。
【請求項２】
以下の構成要素を含む請求項１に記載の通船ゲート。
（ｆ）扉体を自動で閉扉させる手段として、ねじりバネが扉体に設けられている。
【請求項３】
以下の構成要素を含む請求項２に記載の通船ゲート。
（ｇ）ねじりバネは右閉め用と左閉め用の２本、お互い相反する方向で設置されていて、ねじりバネそれぞれの片端はバネ受け３に固定され、もう一方の片端は、ねじりバネ受け溝１１に差し込まれ固定されていない。
【請求項４】
以下の構成要素を含む請求項３に記載の通船ゲート。
（ｈ）自動ロック手段はロックピン８とロックピン受け７を備える。
【請求項５】
以下の構成要素を含む請求項４に記載の通船ゲート。
（ｉ）開錠手段は開錠アーム９を備える。
【発明の詳細な説明】
【技術分野】
【０００１】  本発明は、貯水池やダム湖等の取水口に塵芥や流木などが流れ込むのを防止するためにその前方に設けられる流木止め設備などに用いられる通船ゲート、さらに詳しくは、通船により扉体を開扉し、通船後自動で閉じ施錠、ロックできる形式のものに関する。
【背景技術】
【０００２】  従来、この種の通船ゲートとしては、特許文献１に記載されたものが知られている。貯水池やダム湖等の取水口に塵芥や流木などが流れ込むのを防止するために網場が張設されているが、集塵船や巡視船が通過できるように通船ゲートが設けられ、常時は閉じていて通船時は開いて船を通す役目をしている。用いられる通船ゲートの扉体を自動で閉じる手段としてこの特許文献１では圧縮バネとねじりバネと補助的なウエイトを使用している。またロック機構として圧縮バネを使用している。
【先行技術文献】
【特許文献】
【０００３】
【特許文献１】特開２００４−１３２１４０号広報
【発明の概要】
【発明が解決しようとする課題】
【０００４】  しかしながら、特許文献１のような構成であると、扉体を閉める手段としてねじりバネやウエイトが使用されているがいずれも水中に設置されているため、塵芥や流木が絡まる等の原因で故障することが多く、ロック機構に関しても圧縮バネ等を使用し構造が複雑になっているため施錠、開錠がスムースに出来ない場合があるという問題がある。【０００５】  本発明はかかる課題に鑑みなされたもので、その目的は扉体を閉めるための手段を水上に全て設置し塵芥や流木が絡まることがないようにし、ロック機構も簡単な構造で安価なオートロック式無電力通船ゲートを提供することである。
【課題を解決するための手段】
【０００６】  以下の構成はそれぞれ上記の課題を解決するための手段である。【０００７】＜構成１＞
以下の構成要素を含む通船ゲート。
（ａ）フロートにより半水没状に支持される枠体に開閉自在の扉体を設けた通船ゲートにおいて、自動で閉扉させる手段は通船ゲートの水上部分に設置されている。
（ｂ）扉体には閉扉に応じて扉体が自動ロックする手段を設けている。
（ｃ）自動ロックする手段として扉体にはロックピンが設けられている。
（ｄ）扉体には自動ロックを開錠する手段を設けている。
（ｅ）扉体には開錠する手段として開錠アームが設けられている。【０００８】＜構成２＞
以下の構成要素を含む構成１に記載の通船ゲート。
（ｆ）扉体を自動で閉扉させる手段として、ねじりバネが扉体に設けられている。【０００９】＜構成３＞
以下の構成要素を含む構成２に記載の通船ゲート。
（ｇ）ねじりバネは右閉め用と左閉め用の２本、お互い相反する方向で設置されていて、ねじりバネそれぞれの片端はバネ受け３に固定され、もう一方の片端は、可動アーム４のねじりバネ受け溝１１に差し込まれ固定されていない。【００１０】＜構成４＞
以下の構成要素を含む構成３に記載の通船ゲート。
（ｈ）自動ロック手段はロックピン８とロックピン受け７を備える。
＜構成５＞
以下の構成要素を含む構成４に記載の通船ゲート。
（ｉ）開錠手段は開錠アーム９を備える。
【発明の効果】
【００１１】＜構成１の効果＞
自動で閉扉させる手段を通船ゲートの水上部分に設置することで、塵芥や流木が絡まることがないため確実に扉体を開閉する事が出来る。扉体が閉扉したとき確実にロック、施錠できる。
＜構成２の効果＞
構造が極めて簡単になるので安価になる。
＜構成３の効果＞
左右どちら方向に開扉しても、ねじりバネのねじり力により必ず中立位置まで自動で閉扉する。
＜構成４の効果＞
簡単な構造で扉閉時において確実に施錠できる。
＜構成５の効果＞
船舶の船首で当て板６を介し開錠アーム９押すことで簡単に開錠できる。
【図面の簡単な説明】
【００１２】
【図１】本発明のオートロック式無電力通船ゲートの正面図である。
【図２】本発明のオートロック式無電力通船ゲートの平面図である。
【図３】ねじりバネの設置部分を拡大した正面図である。
【図４】可動アームの平面図である。
【図５】オートロック部分の受け側の側面図である。
【図６】オートロック部分の受け側の平面図である。
【図７】オートロック部分のロック側の側面図である。
【図８】オートロック部分全体の正面図である。
【発明を実施するための形態】
【００１３】以下、本発明の実施の形態を図に基づいて説明する。尚、以下の実施形態は本発明を限定するものではない。
【実施例１】
【００１４】  図１は本発明のオートロック式無電力通船ゲートの正面図である。ここに示す通船ゲートは、左右２つのフロート１により半水没状に支持されるＵ字状の枠体２が配置され、枠体２に観音開き式に開閉できる２枚の扉体ａ、ｂを設け両扉体ａ、ｂを施錠・開錠出来るようにしたものである。【００１５】  左右２枚の扉体ａ、ｂは前記枠体２に取り付けたバネ受け３と枠体２に支持された軸５を介して設置された可動アーム４に取り付けられ図２の鎖線で示すように開閉自在である。【００１６】  ここに示す通船ゲートにおいては、開扉された扉体を自動的に閉扉する装置が備えられており、この装置により自動的に閉扉する事が出来るようになっている。この装置は図３に示すように、軸５に取り付けられた、ねじりバネ１０ａ、１０ｂのねじり力によって開扉された扉体を閉扉させるものである。【００１７】  ねじりバネ１０ａ、１０ｂはそれぞれ片端をバネ受け３に固定され、もう片端は図４に示すように可動アーム４のねじりバネ受け溝１１に固定されずに差し込まれている。この片端を固定しないでバネ受け溝１１に差し込む事によってたとえば扉体が図２に示すｃ方向に開く場合ねじりバネ１０ａの片端がねじりバネ受け溝１１の端にかかり、ねじりバネがねじられるが、ねじりバネ１０ｂは片端がねじりバネ受け溝１１に沿って移動するのでフリー状態となりねじられない。よって扉体はねじりバネ１０ａのねじり力によって閉扉する。扉体が図２のｄ方向に開く場合はこれと反対である。ねじりバネの設置方法として、バネ受け３にねじりバネ受け溝を設け、ねじりバネの可動アーム側を固定してもよい。【００１８】  図５，６，７，８はオートロック部分の説明図である。扉体ａにはその手前側と反対側に、すなわち前後両側に延び出るように、通船時において変位する開錠アーム９が取り付けられている。また開錠アーム９には当て板６が取り付けられている。それぞれの開錠アーム９に取り付けられた当て板６と反対端はロックピン８に接触している。扉体ｂにはロックピン受け７が取り付けられている。閉扉時ロックピン８がロックピン受け７の溝７ａ部分に嵌まり込むことで施錠状態となる。【００１９】  この機構を備えた通船ゲートに船舶が侵入し船首で当て板６を押すことで図７の鎖線に示すように開錠アーム９が可変し接触しているロックピン８を押し上げる。押し上げる事でロックピン受け７からロックピン８がはずれ、この状態で扉体は図８の鎖線に示すように開錠状態となり開扉する。【００２０】  通船後、扉体ａ、ｂがねじりバネのねじり力によって閉扉する際、ロックピン８は自重により施錠時と同じ位置に下がっているが、ロックピン受け７の傾斜面７ｂ部分に接触する事で傾斜面７ｂに沿って上方に持ち上げられ、ロックピン受けの溝７ａ部分に再度、自重により自動的に嵌まり込む事で施錠状態となる。【００２１】  ここには観音開き式の二枚扉に本発明を適用した場合を例示したが、片開き式の一枚扉にも適用することが出来る。この場合枠体２に扉体ｂを固定するのが普通であり、片開き式の一枚扉にロックピンを設け、枠体２側にロックピン受け７を設ける。【００２２】  以上のように、各実施形態によれば、自動で閉扉させる手段が通船ゲートの水上部分に設置されていることで塵芥や流木が絡まることがないため確実に扉体を開閉する事が出来る。またロック機構の構造が簡単なため扉体が閉扉したとき確実にロック、施錠できる。また従来の製品よりも部品点数が大幅に軽減されるので安価となる。【００２３】  なお、本発明は以上のような実施形態に限定されるものではない。本発明の特許請求の範囲に記載した事項と実質的に同一の構成を有し、同一の作用効果を奏するものは本発明の技術範囲に属する。
【符号の説明】
【００２４】ａ    扉体
ｂ    扉体
１    フロート
２    枠体
３    バネ受け
４    可動アーム
５    軸
６    当て板
７    ロックピン受け
８    ロックピン
９    開錠アーム
１０ａ  ねじりバネ
１０ｂ  ねじりバネ
１１  ねじりバネ受け溝
【図１】
2017044052.tif 000003
【図２】
2017044052.tif 000004
【図３】
2017044052.tif 000005
【図４】
2017044052.tif 000006
【図５】
2017044052.tif 000007
【図６】
2017044052.tif 000008
【図７】
2017044052.tif 000009
【図８】
2017044052.tif 000010